(57)【特許請求の範囲】
【請求項１】
単管パイプを横方向に支持することにより、該単管パイプとともにバリケードを構成するバリケード構成体において、
本体と、
横方向に延びる回転軸回りに回転可能なように前記本体に支持された回転部と、
それぞれ前記回転部に該回転部とともに回転するように支持されており、かつそれぞれ前記単管パイプの端部内に大略のところ該単管パイプと軸方向を一致させて挿入可能な第一のパイプ拘束体および第二のパイプ拘束体と、
前記第一のパイプ拘束体の一端に該第一のパイプ拘束体の軸方向に対して傾斜して設けられた傾斜面と、
前記第二のパイプ拘束体の一端に該第二のパイプ拘束体の軸方向に対して傾斜して設けられ、前記第一のパイプ拘束体の傾斜面に対向される傾斜面と、
前記回転部に該回転部とともに回転するように支持されており、かつ前記第一のパイプ拘束体に該パイプ拘束体の軸方向に挿通された雄ねじと、
この雄ねじに螺合された雌ねじと、
前記第一のパイプ拘束体内に前記第二のパイプ拘束体先端側が侵入するかまたは前記第二のパイプ拘束体内に前記第一のパイプ拘束体の先端側が侵入し、前記第一および第二のパイプ拘束体が互いに噛み合った状態となってしまわないように、前記雄ねじに貫通されるとともに前記第一および第二のパイプ拘束体並びに前記雄ねじに対して一定範囲内において自由に動ける状態で、前記第一および第二のパイプ拘束体内に収容され、前記第一および第二のパイプ拘束体の相対的な動きの範囲を規制する噛み合い防止筒とを有してなり、
前記第一および第二のパイプ拘束体は互いに対して一定範囲内において軸方向および軸方向に対して垂直な方向に相対移動可能とされており、前記雌ねじに対して前記雄ねじが締め付けられると、前記第一および第二のパイプ拘束体が双方の前記傾斜面において当接された状態で互いに軸方向に押圧され、双方の前記傾斜面が相対的に摺動しようとするようになっていることを特徴とするバリケード構成体。
【請求項２】
第一および第二のパイプ拘束体は円筒形とされている請求項１記載のバリケード構成体。
【請求項３】
第一および第二のパイプ拘束体は同一外径とされている請求項１または２記載のバリケード構成体。
【請求項４】
雌ねじは第二のパイプ拘束体に該第二のパイプ拘束体と同軸に設けられている請求項１，２または３記載のバリケード構成体。
【請求項５】
雄ねじは第二のパイプ拘束体にも該第二のパイプ拘束体の軸方向に挿通されており、雌ねじは前記第二のパイプ拘束体とは分離されたナットに設けられており、第一のパイプ拘束体と前記ナットとの間に前記第二のパイプ拘束体が位置されている請求項１，２または３記載のバリケード構成体。
【請求項６】
回転部はスリーブを有しており、このスリーブに雄ねじが挿通されている請求項１乃至５のいずれかに記載のバリケード構成体。
【請求項７】
本体は本体左半部と本体右半部とに２分割されており、これらの本体左半部と本体右半部とは回転部を介して互いに結合されている請求項１乃至６のいずれかに記載のバリケード構成体。
【発明の詳細な説明】
【０００１】
【発明の属する技術分野】
本発明は、道路工事・建設工事等の工事現場や、歩行者天国等の、立ち入りないしは侵入禁止区域等を一時的に囲んだり、区切ったりするためのバリケードを構成するバリケード構成体に関する。
【０００２】
【従来の技術】
従来より、所謂単管パイプと称されるパイプと組み合わされることにより、一時的にバリケードを構成するバリケード構成体が種々開発されているが、従来のこの種のバリケード構成体は、一般にクランプと称されている接続具を用いてパイプと接続していた。
【０００３】
【発明が解決しようとする課題】
このため、クランプ全体が外部に露出し、クランプのボルトの先端等が外部に大きく突出するので、接触すると危険であるという問題があった。
【０００４】
本発明はこのような従来の事情に鑑みてなされたもので、本発明の目的の一つは、使用時にパイプとの接続機構がほとんど外部に露出せず、非常に安全なバリケード構成体を提供することにある。
【０００５】
本発明の他の目的は、収納時および運搬時に多数のバリケード構成体を互いに隙間なくコンパクトに重ね合わせることができるバリケード構成体を提供することにある。
【０００６】
本発明のさらに他の目的は、以下の説明から明らかになろう。
【０００７】
本発明によるバリケード構成体は、
単管パイプを横方向に支持することにより、該単管パイプとともにバリケードを構成するバリケード構成体において、
本体と、
横方向に延びる回転軸回りに回転可能なように前記本体に支持された回転部と、
それぞれ前記回転部に該回転部とともに回転するように支持されており、かつそれぞれ前記単管パイプの端部内に大略のところ該単管パイプと軸方向を一致させて挿入可能な第一のパイプ拘束体および第二のパイプ拘束体と、
前記第一のパイプ拘束体の一端に該第一のパイプ拘束体の軸方向に対して傾斜して設けられた傾斜面と、
前記第二のパイプ拘束体の一端に該第二のパイプ拘束体の軸方向に対して傾斜して設けられ、前記第一のパイプ拘束体の傾斜面に対向される傾斜面と、
前記回転部に該回転部とともに回転するように支持されており、かつ前記第一のパイプ拘束体に該パイプ拘束体の軸方向に挿通された雄ねじと、
この雄ねじに螺合された雌ねじと、
前記第一のパイプ拘束体内に前記第二のパイプ拘束体先端側が侵入するかまたは前記第二のパイプ拘束体内に前記第一のパイプ拘束体の先端側が侵入し、前記第一および第二の拘束体が互いに噛み合った状態となってしまわないように、前記雄ねじに貫通されるとともに前記第一および第二のパイプ拘束体並びに前記ボルトに対して一定範囲内において自由に動ける状態で、前記第一および第二のパイプ拘束体内に収容された噛み合い防止筒とを有してなり、
前記第一および第二のパイプ拘束体は互いに対して一定範囲内において軸方向および軸方向に対して垂直な方向に相対移動可能とされており、前記雌ねじに対して前記雄ねじが締め付けられると、前記第一および第二のパイプ拘束体が双方の前記傾斜面において当接され、該双方の前記傾斜面が相対的に摺動しようとすることとなるようにして、互いに軸方向に押圧されるものである。
【０００８】
第一および第二のパイプ拘束体をパイプの端部内に挿入し、雌ねじに対して雄ねじを締め付けると、第一および第二のパイプ拘束体が双方の傾斜面において当接された状態で互いに軸方向に押圧されるので、第一および第二のパイプ拘束体の軸線がずれ、第一および第二のパイプ拘束体の外周がパイプの内周に強く押圧され、第一および第二のパイプ拘束体に対してパイプが固定され、第一および第二のパイプ拘束体ひいてはバリケード構成体に対してパイプの一端が取り付けられる。次に、同様にして、もう一つのバリケード構成体の第一および第二のパイプ拘束体をパイプの他端部内に挿入して雄ねじを締め付けることにより、該もう一つのバリケード構成体に対してパイプの他端を取り付け、バリケードを作成することができる。
【０００９】
【発明の実施の形態】
以下、本発明を図面に示す実施例に基づいて説明する。
【００１０】
【実施例】
図１〜１０は、本発明によるバリケード構成体１の一実施例を示している。この実施例において、バリケード構成体１の本体２は、全体としては、大略のところ頭部が平たく潰れた「Ａ」の字状とされているが、互いに左右対称をなす本体左半部２Ｌと本体右半部２Ｒとに左右に２分割されている。前記本体左半部２Ｌは、それぞれ鋼鉄等の金属からなる２本の横断面円形のパイプ材３Ｌおよび４Ｌを互いに溶接して組み立ててなり、前記パイプ材３Ｌは上下斜め方向に延びる斜め方向部分３Ｌａとこの斜め方向部分３Ｌａの上端から屈曲されて横方向に延びる横方向部３Ｌｂとを有している。前記パイプ材４Ｌは、パイプ材３Ｌの斜め方向部分３Ｌａの下端側から横方向中央側に直線状に延びている。同様にして前記本体右半部２Ｒは、それぞれ鋼鉄等の金属からなる２本の横断面円形のパイプ材３Ｒおよび４Ｒを互いに溶接して組み立ててなり、前記パイプ材３Ｒは上下斜め方向に延びる斜め方向部分３Ｒａとこの斜め方向部分３Ｒａの上端から屈曲されて横方向に延びる横方向部３Ｒｂとを有している。前記パイプ材４Ｒは、パイプ材３Ｒの斜め方向部分３Ｒａの下端側から横方向中央側に直線状に延びている。前記パイプ材３Ｌ，３Ｒ，４Ｌ，４Ｒは同一径とされている。図５に示されるように、前記パイプ材３Ｌ，３Ｒの横方向部３Ｌｂ，３Ｒｂの先端部内周にはそれぞれ軸受リング５Ｌ，５Ｒが溶接されることにより同軸に固定されている。同様にして前記パイプ材４Ｌ，４Ｒの先端部内周には軸受リング（図示せず）が溶接されることにより同軸に固定されている。
【００１１】
前記本体左半部２Ｌと本体右半部２Ｒとは、上側回転部６および下側回転部７を介して互いに結合されており、かつ本体左半部２Ｌと本体右半部２Ｒは一平面内に存在していて、前記上側および下側回転部６，７は、本体左半部２Ｌおよび本体右半部２Ｒ（すなわち、本体２）に対して本体左半部２Ｌおよび本体右半部２Ｒが含まれる平面と垂直な平面（図３の紙面と平行な平面）において回転可能となっている。次にこれについて詳しく説明する。
【００１２】
前記上側回転部６は、図５に示されるように、それぞれ鋼鉄等の金属製の回転軸８、抜け止めリング９Ｌ，９Ｒおよびスリーブ１０からなっている。前記回転軸８は、円筒状をなしていて軸受リング５Ｌ，５Ｒの内周に回転可能に嵌合されている。前記２つの抜け止めリング９Ｌ，９Ｒはそれぞれ回転軸８の外周両端部に溶接されることにより同軸に固定されている。ここにおいて、軸方向に関し、軸受リング５Ｌ，５Ｒは抜け止めリング９Ｌ，９Ｒ間に位置しており、これにより回転軸８はパイプ材３Ｌ，３Ｒの横方向部３Ｌｂ，３Ｒｂから抜け止めされている。前記スリーブ１０は回転軸８を径方向に貫通した状態で回転軸８に溶接て固定されている。
【００１３】
前記下側回転部７は上側回転部６と同様の構成とされており（図面において、上側回転部６の部品に対応する下側回転部７の部品は上側回転部６のそれと同一の符号を付してある）、この下側回転部７の回転軸（図示せず）はパイプ材４Ｌ，４Ｒの先端部内周に固定された前記軸受リング（図示せず）の内周に回転可能に嵌合されている。
【００１４】
前記上側および下側回転部６，７のスリーブ１０には、ボルト１１（本実施例における雄ねじ）が該スリーブ１０に対して回転可能かつ軸方向に移動可能にそれぞれ挿通されている。前記ボルト１１の頭部１１ａとスリーブ１０の一端部との間にはワッシャ１２がそれぞれ介装されている。第一のパイプ拘束体１３は横断面円形の筒状をなしており、その一端には底部１３ａが設けられている。この底部１３ａの中心部には円形の貫通穴１４が設けられている。前記第一のパイプ拘束体１３の他端は開口されており、かつ該拘束体１３の軸方向に対して４５度傾斜された傾斜面１５を形成している。同様にして第二のパイプ拘束体１６は第一のパイプ拘束体１３と同一外径および同一内径の横断面円形の筒状をなしており、その一端には底部１６ａが設けられている。この底部１６ａの中心部には円形貫通穴１７が設けられるとともに、この貫通穴１７と同軸にナット１８が溶接されて固定されている。前記第二のパイプ拘束体１６の他端は開口されていて該拘束体１６の軸方向に対して４５度傾斜された傾斜面１９を形成している。前記第一および第二のパイプ拘束体１３，１６の外径は、パイプ材３Ｌ，３Ｒ，４Ｌ，４Ｒの外径以下の大きさとされている。
【００１５】
前記スリーブ１０のうちのボルト１１の頭部１１ａと反対側の部分は回転軸８から大きく突出されており、該部分は第一のパイプ拘束体１３の底部１３ａの貫通穴１４に移動可能かつ相対的に回転可能に挿通されている。前記ボルト１１の先端側はスリーブ１０外に突出されるとともにナット１８の雌ねじに螺合されている。これにより前記第一のパイプ拘束体１３はボルト１１に挿通された状態で、各第二のパイプ拘束体１６と本体２のパイプ材３Ｌ，３Ｒの横方向部３Ｌｂ，３Ｒｂとの間に介装されている。ここにおいて、第一および第二のパイプ拘束体１３，１６はスリーブ１０およびボルト１１に対して回転可能かつ軸方向に移動可能である。また、第一のパイプ拘束体１３は貫通穴１４とスリーブ１０との間の隙間の存在により、スリーブ１０に対して軸方向に対し垂直な方向にも若干移動可能であるとともに貫通孔１４を中心として若干振れることができる。また、スリーブ１０の内周とボルト１１との間の隙間の存在により、ボルト１１はスリーブ１０に対して軸方向と垂直な方向にも若干移動可能であるとともに若干振れることができる。また、第一および第二のパイプ拘束体１３，１６の傾斜面１５，１９は互いに対向されており、ナット１８に対しボルト１１を適当に締め付けることにより、傾斜面１５，１９が互いに当接された状態で、第一および第二のパイプ拘束体１３，１６を互いに押圧することができる。前記第一および第二のパイプ拘束体１３，１６内には、噛み合い防止筒２０が収容されている。この噛み合い防止筒２０にはボルト１１が貫通するとともにスリーブ１０が侵入しているが、この噛み合い防止筒２０は第一および第二のパイプ拘束体１３，１６、ボルト１１並びにスリーブ１０に対して一定範囲内において自由に動けるようになっている。
【００１６】
次に本発明によるバリケード構成体１の作動および使用方法について説明する。使用時には、ナット１８に対してボルト１１をある程度緩め、上側および下側回転部６，７に支持されている第一および第二のパイプ拘束体１３，１６を互いに同軸状態となるようにするとともに、図３の一点鎖線および図６に示されるように、上側および下側回転部６，７を矢印Ａのように回転して、ボルト１１並びに第一および第二のパイプ拘束体１３，１６が本体２から横方向に突出するようにした上、単管パイプ２１の一端部を第一および第二のパイプ拘束体１３，１６の外周に被せる。
【００１７】
次に、ボルト１１を締め付けて行くと、図８のように第一および第二のパイプ拘束体１３，１６の軸線がずれ、第一および第二のパイプ拘束体１３，１６が単管パイプ２１の内周に強く押圧され、単管パイプ２１が上側および下側回転部６，７に取り付けられる。
【００１８】
次に、これをさらに詳しく説明する。図７はボルト１１を締め付けたときの第一および第二のパイプ拘束体１３，１６の軸線のずれを誇張して示したものであり、ボルト１１を締め付けて行くと、矢印Ｂのようにナット１８および第二のパイプ拘束体１６がボルト１１の頭部１１ａひいては本体２側に移動する一方、第一のパイプ拘束体１３は底部を本体２に当接されて軸方向には動けない。したがって、第一のパイプ拘束体１３の傾斜面１５と第二のパイプ拘束体１６の傾斜面１９とが相対的に摺動し、矢印Ｃで示されるように第一および第二のパイプ拘束体１３，１６の軸線が互いにずれて行く(図７はこのような作動が容易に理解されるように、単管パイプ２１がないものとして、第一および第二のパイプ拘束体１３，１６の軸線のずれが非常に大きくなるように示している）。これにより、第一および第二のパイプ拘束体１３，１６の径が増大したのと同様の結果になり、図８のように第一および第二のパイプ拘束体１３，１６の外周が単管パイプ２１の内周に強く押圧され、第一および第二のパイプ拘束体１３，１６ひいては回転部６，７に対して単管パイプ２１の一端が取り付けられる。
【００１９】
なお、図７および８は第一および第二のパイプ拘束体１３，１６相対的に角度変化しないで、相対的に軸方向および軸方向に対して垂直な方向にのみ移動するように示しているが、実際には第一のパイプ拘束体１３の貫通穴１４とスリーブ１０との間の隙間、スリーブ１０の内周とボルト１１との間の隙間、ボルト１１とナット１８との螺合部の遊びおよび各部の弾性変形等により、第一および第二のパイプ拘束体１３，１６の軸線が相対的に若干角度的にずれることによっても、これらの拘束体１３，１６が相対的に軸方向に対して垂直な方向にずれ、これらの拘束体１３，１６の径が増大したのと同様の結果になるようにしてもよい。
【００２０】
次に、同様にして、図９のように、もう一つのバリケード構成体１の上下の第一および第二のパイプ拘束体１３，１６を単管パイプ２１の他端部内にそれぞれ挿入して固定することにより、バリケード２２を作成することができる。
【００２１】
このバリケード構成体１によれば、バリケード構成体１自体に設けられた接続機構により単管パイプ２１を接続でき、従来のバリケード構成体のようにクランプを用いる必要がない。
【００２２】
また、使用時、第一および第二のパイプ拘束体１３，１６は単管パイプ２１内に挿入されるので、単管パイプ２１との接続機構は、ボルト１１の頭部１１ａおよびワッシャ１２以外は外部に露出せず、非常に安全である。
【００２３】
また、収納時および運搬時は、ボルト１１を緩めて単管パイプ２１を外し、図１および２、図３の実線並びに図４に示されるように、上側および下側の第一および第二のパイプ拘束体１３，１６がそれぞれ下方に垂れ下がるように上側および下側回転部６，７を回転すれば、上側および下側の第一および第二のパイプ拘束体１３，１６が本体２と同一平面内に位置することになるので、図１０のように多数のバリケード構成体１を互いに隙間なくコンパクトに重ね合わせて省スペースを図ることができる。
【００２４】
また、第一および第二のパイプ拘束体１３，１６内に噛み合い防止筒２０が収容されていないとすると、本来予定されているように第一のパイプ拘束体１３および第二のパイプ拘束体１６の傾斜面１５，１９同士が当接されず、図１１のように第一のパイプ拘束体１３（または第二のはパイプ拘束体１６）内に第二のパイプ拘束体１６（または第一のパイプ拘束体１３）の先端側が侵入し、２つの拘束体１３，１６が互いに噛み合った状態となってしまい、使用時にこの噛み合い状態を解消させるのに手間が掛かるという不都合が生じる虞があるが、本実施例のように第一および第二のパイプ拘束体１３，１６内に噛み合い防止筒２０を収容すれば、噛み合い防止筒２０の存在により第一および第二のパイプ拘束体１３，１６の相対的な動きの範囲が規制されるので、前記第一および第二のパイプ拘束体１３，１６の噛み合いを完全に防止するかまたは生じにくくすることができる。
【００２５】
なお、前記実施例ではナット１８を第二のパイプ拘束体１６に溶接することにより第二のパイプ拘束体１６に雌ねじを設けているが、第二のパイプ拘束体１６に直接雌ねじを形成してもよい。また、第二のパイプ拘束体１６とは別体のナット１８を第二のパイプ拘束体１６の外側においてボルト１１に螺合するようにしてもよい。また、ボルト１１を、前記実施例とは逆に、第一および第二のパイプ拘束体側から本体側へ向かって挿通することも可能である。
【００２６】
【発明の効果】
以上のように本発明は、
（イ）クランプを用いる必要がなく、パイプとの接続機構がほとんど外部に露出せず、非常に安全である、
（ロ）第一および第二のパイプ拘束体等を支持する回転部を設けることにより、収納時および運搬時にはパイプとの接続機構を邪魔にならない位置に回動でき、多数のバリケード構成体を互いに隙間なくコンパクトに重ね合わせることができる、
等の優れた効果を得られるものである。
【図面の簡単な説明】
【図１】本発明によるバリケード構成体の一実施例を示す斜視図である。
【図２】前記実施例を示す正面図である。
【図３】前記実施例を示す側面図である。
【図４】前記実施例を示す平面図である。
【図５】前記実施例における上側回転部並びに第一および第二のパイプ拘束体付近を下方に回転している状態において示す拡大断面図である。
【図６】前記実施例において上側の第一および第二のパイプ拘束体に単管パイプの一端部を被せた状態を示す拡大断面図である。
【図７】前記実施例においてボルトを締め付けて行ったときの第一および第二のパイプ拘束体の相互のずれを説明する拡大断面図である。
【図８】前記実施例において上側の第一および第二のパイプ拘束体に単管パイプの一端部が拘束された状態を示す拡大断面図である。
【図９】前記実施例を用いて作成したバリケードを示す斜視図である。
【図１０】収納時および運搬時に前記実施例のバリケード構成体を多数重ね合わせた状態を示す側面図である。
【図１１】前記実施例において第一および第二のパイプ拘束体が互いに噛み合ってしまった状態を示す断面図である。
【符号の説明】
１    バリケード構成体
２    本体
２Ｌ  本体左半部
２Ｒ  本体右半部
６    上側回転部
７    下側回転部
８    回転軸
１０    スリーブ
１１    ボルト（雄ねじ）
１３    第一のパイプ拘束体
１５    第一のパイプ拘束体の傾斜面
１６    第二のパイプ拘束体
１８    ナット
１９    第二のパイプ拘束体の傾斜面
２０    噛み合い防止筒
２１    単管パイプ
２２    バリケード
【図１】
0004357104.tif 000002
【図２】
0004357104.tif 000003
【図３】
0004357104.tif 000004
【図４】
0004357104.tif 000005
【図５】
0004357104.tif 000006
【図６】
0004357104.tif 000007
【図７】
0004357104.tif 000008
【図８】
0004357104.tif 000009
【図９】
0004357104.tif 000010
【図１０】
0004357104.tif 000011
【図１１】
0004357104.tif 000012